(57)【要約】【課題】  光ファイバケーブルの赤外光を照射されて赤外輝尽蛍光体が可視光を発生させる赤外線検出部の領域に、前記赤外輝尽蛍光体を励起する可視光が到達しないようにすること。【解決手段】  ハンドケース型赤外線検出器は、回転移動可能な円錐台部材４Ａとその表面に備えられた赤外輝尽蛍光体５とを有する赤外線検出部と、第１位置において赤外輝尽蛍光体５に可視光の励起光を照射する励起用光源２と、第２位置において赤外輝尽蛍光体５に光ファイバケーブルの赤外光を照射する光ファイバ収容部３と、これらを収容するハンドケース１とから構成されている。光ファイバケーブルの赤外光が照射されて赤外輝尽蛍光体５が発生する可視光は、ハンドケース１の観測窓７から目視観測される。【選択図】  図1 【図１】2006084214.tif 000003
2006084214.tif 000002
【特許請求の範囲】
【請求項１】
第１位置から第２位置に移動可能な移動体と前記移動体の表面に備えられた赤外輝尽蛍光体とを有する赤外線検出部と、前記第１位置において前記赤外輝尽蛍光体に可視光の励起光を照射する励起用光源と、前記第２位置において前記赤外輝尽蛍光体に光ファイバケーブルの赤外光を照射する光ファイバ収容部と、これらを収容する観測窓付きハンドケースとから構成した赤外線検知器。
【請求項２】
前記移動体は回転駆動させられる円錐台部材であって、前記赤外輝尽蛍光体は前記円錐台部材の傾斜面に全周にわたって備えられていること、及び、前記観測窓は前記傾斜面に対して入射した赤外光の反射方向に合わせて前記ハンドケースに設けられていることを特徴とする請求項１の赤外線検知器。
【請求項３】
前記移動体は回転駆動させられる円錐台部材であって、前記赤外輝尽蛍光体は前記円錐台部材の傾斜面に１箇所だけ備えられていること、及び、前記観測窓は前記傾斜面に対して入射した赤外光の反射方向に合わせて前記ハンドケースに設けられていることを特徴とする請求項１の赤外線検知器。
【請求項４】
前記移動体は回転駆動させられる円錐台部材であって、前記赤外輝尽蛍光体は前記円錐台部材の傾斜面に対称的に少なくとも一対備えられていること、及び、前記観測窓は前記傾斜面に対して入射した赤外光の反射方向に合わせて前記ハンドケースに設けられていることを特徴とする請求項１の赤外線検知器。
【請求項５】
前記移動体は回転駆動させられる断面二等辺台形部材であって、前記赤外輝尽蛍光体は前記断面二等辺台形部材の傾斜面に対称的な２箇所に備えられていること、及び、前記観測窓は前記傾斜面に対して入射した赤外光の反射方向に合わせて前記ハンドケースに設けられていることを特徴とする請求項１の赤外線検知器。
【請求項６】
前記移動体は回転駆動させられる肉厚の円盤部材であって、前記赤外輝尽蛍光体は前記円盤部材の外周面に全周にわたって備えられていることを特徴とする請求項１の赤外線検知器。
【請求項７】
前記移動体は回転駆動させられる肉厚の円盤部材であって、前記赤外輝尽蛍光体は前記円盤部材の外周面に１箇所だけ備えられていることを特徴とする請求項１の赤外線検知器。
【請求項８】
前記移動体は回転駆動させられる肉厚の円盤部材であって、前記赤外輝尽蛍光体は前記円盤部材の外周面に対称的に少なくとも一対備えられていることを特徴とする請求項１の赤外線検知器。
【請求項９】
前記移動体は振り子駆動させられる四分の一円錐台部材であって、前記赤外輝尽蛍光体は前記四分の一円錐台部材の傾斜面に対称的な２箇所に備えられていること、及び、前記観測窓は前記傾斜面に対して入射した赤外光の反射方向に合わせて前記ハンドケースに設けられていることを特徴とする請求項１の赤外線検知器。
【請求項１０】
前記移動体は傾斜面が形成された一対の脚部を有するＬ字型部材であり且つ振り子駆動させられるＬ字型部材であって、前記赤外輝尽蛍光体は前記Ｌ字型部材の一対の脚部の傾斜面に備えられていること、及び、前記観測窓は前記傾斜面に対して入射した赤外光の反射方向に合わせて前記ハンドケースに設けられていることを特徴とする請求項１の赤外線検知器。
【請求項１１】
前記移動体は一対の脚部を有するＬ字型部材であり且つ振り子駆動させられるＬ字型部材であって、前記赤外輝尽蛍光体は前記Ｌ字型部材の一対の脚部の端面に備えられていることを特徴とする請求項１の赤外線検知器。
【請求項１２】
前記移動体の傾斜面の角度は４５度であることを特徴とする請求項２、３、４、５、９、１０のいずれかに記載の赤外線検知器。
【請求項１３】
前記観測窓から前記移動体の赤外発光部に近接した位置まで延伸した集光用光ファイバが配置されていることを特徴とする請求項６、７、８、１１のいずれかに記載の赤外線検知器。
【請求項１４】
前記励起用光源には前記励起光の拡散防止のためのシールドが設けられていることを特徴とする請求項１の赤外線検知器。
【発明の詳細な説明】
【技術分野】
【０００１】
本発明は、光ファイバを赤外線の光信号が伝播中か否かを確認するための赤外線検知器に関し、特に赤外輝尽蛍光体を利用したハンドケース型赤外線検知器に関する。
【背景技術】
【０００２】
特開平５−５２６４８号公報（特許文献１）には、対物レンズとイメージインテンシファイヤと接眼レンズとからなる赤外線観察装置であって、前記対物レンズ決像面に、弗化カルシウム、弗化ストロンチウム、あるいは弗化バリウム基板上に赤外輝尽蛍光体層を形成した赤外線観察装置が開示されている。
【０００３】
特開平５−８７６３２号公報（特許文献２）には、紫外線および可視光線を遮断しかつ赤外線を透過する赤外透過部材と、紫外線、可視光線および赤外線を遮断する遮光部材と、赤外輝尽蛍光体を有し、前記赤外輝尽蛍光体が前記赤外透過部材と前記遮光部材との間にはさまれて保持されている赤外線検知器が開示されている。
【０００４】
特開平７−２６０５６５号公報（特許文献３）には、中実で可視光を透過し赤外光を吸収する導波性支持体の一端に、赤外輝尽蛍光体などの赤外可視変換蛍光体からなる赤外可視変換部を備えた赤外線検知器本体を有することを特徴とする赤外線検知器が開示されている。
【０００５】
特開平１１−２８７７０９号公報（特許文献４）には、赤外輝尽蛍光体を赤外光検知部として用いたカード型赤外線検知器が開示されている。このカード型赤外線検知器を含み、これらの赤外線検知器はいずれも、安価で感度が高くかつ容易に赤外線を検出できる赤外線検知器である。
【０００６】
ところで、ここ数年来、光ファイバによる高速・常時接続回線が一般家庭までの普及するようになった。光ファイバケーブル網は、クロージャと呼ばれる配線函等を接続部として構成されているが、高速・常時接続回線の保守・点検はクロージャにおける光ファイバケーブルの接続や抜去を必然的に伴う作業になる。クロージャは、電柱やビルの地下に設置されているので、保守・点検作業は比較的悪い環境下で行われることになる。
【０００７】
このため、比較的悪い環境下で行われる光ファイバケーブルの保守・点検作業には、上述の従来の赤外線検知器は利用できないか、利用し難いものである。電柱上や屋外では周辺光が強いため、赤外線検知器の赤外輝尽蛍光体が発する可視光を目視することが困難である。ビルの地下などの屋内では比較的暗いため、赤外線検知器の赤外輝尽蛍光体を励起するのに必要な十分な励起光が得られない。従って、この場合も、赤外輝尽蛍光体が発する可視光は弱く、確認のための目視が困難である。
【０００８】
そこで上述の従来の問題点に鑑み、本願の出願人は、光ファイバケーブルの赤外光を赤外輝尽蛍光体の発光によって目視観測する赤外輝尽蛍光体を利用したハンドケース型赤外線検知器において、前記赤外輝尽蛍光体に励起光を照射する励起用光源を備えた赤外線検出器を開発し、これを特許出願した（特願２００４−１３２４１１号明細書）。
【０００９】
上記の赤外輝尽蛍光体を利用したハンドケース型赤外線検知器は、赤外検出可視光を安定して目視確認するために赤外輝尽蛍光体に励起光を照射するものであるが、構造が簡単なために実用的な装置である。ところが、可視光の励起光を用いると、赤外光が照射されて発生する前記赤外輝尽蛍光体の可視光が目立たなくなり、赤外検出光の目視確認が困難な場合があることが判明した。
【００１０】
【特許文献１】特開平５−５２６４８号公報
【特許文献２】特開平５−８７６３２号公報
【特許文献３】特開平７−２６０５６５号公報
【特許文献４】特開平１１−２８７７０９号公報
【特許文献５】特願２００４−１３２４１１号明細書
【発明の開示】
【発明が解決しようとする課題】
【００１１】
本発明が解決しようとする課題は、赤外輝尽蛍光体を利用したハンドケース型赤外線検知器において、光ファイバケーブルの赤外光を照射されて前記赤外輝尽蛍光体が可視光を発生させる領域に、前記赤外輝尽蛍光体を励起する可視光の励起光が到達しないようにすることである。
【課題を解決するための手段】
【００１２】
上述の課題を解決する赤外線検知器を、第１位置から第２位置に移動可能な移動体と前記移動体の表面に備えられた赤外輝尽蛍光体とを有する赤外線検出部と、前記第１位置において前記赤外輝尽蛍光体に可視光の励起光を照射する励起用光源と、前記第２位置において前記赤外輝尽蛍光体に光ファイバケーブルの赤外光を照射する光ファイバ収容部と、これらを収容する観測窓付きハンドケースとから構成した。
【発明の効果】
【００１３】
本発明により、赤外輝尽蛍光体を利用したハンドケース型赤外線検知器において、光ファイバケーブルの赤外光を照射されて前記赤外輝尽蛍光体が可視光を発生させる領域に、前記赤外輝尽蛍光体を励起する可視光の励起光が到達しないようにすることができた。従って、光ファイバケーブルの赤外光が照射されて前記赤外輝尽蛍光体に発生した可視光のみを作業員は目視することになり、ハンドケース型赤外線検知器による赤外光の目視観測が更に確実に行われるようになった。
【発明を実施するための最良の形態】
【００１４】
本発明に係る赤外線検知器は、第１位置から第２位置に移動可能な移動体と前記移動体の表面に備えられた赤外輝尽蛍光体とを有する赤外線検出部と、前記第１位置において前記赤外輝尽蛍光体に励起光を照射する励起用光源と、前記第２位置において前記赤外輝尽蛍光体に光ファイバケーブルの赤外光を照射する光ファイバ収容部と、これらを収容するハンドケースであって、可視光を目視観測するための観測窓が設けられたハンドケースとで構成されている。そして、前記励起用光源と前記光ファイバ収容部は前記ハンドケースの相対する壁面に配置され、且つ、前記赤外線検知部は前記励起用光源と前記光ファイバ収容部との間に配置されている。
【実施例１】
【００１５】
本発明の実施例１は、図１の断面図（Ａ）と平面図（Ｂ）及び図３の模式的構成図並びに動作説明図に示す如く、円錐台部材４Ａとその表面に備えられた赤外輝尽蛍光体５とを有する赤外線検出部と、赤外輝尽蛍光体５に励起光を照射する励起用光源２と、赤外輝尽蛍光体５に光ファイバケーブルの赤外光を照射する光ファイバ収容部３と、これらを収容するハンドケース１とで構成された赤外線検出器である。
【００１６】
円錐台部材４Ａは、ハンドケース１内に固定されたモータの如き駆動部６により回転駆動される回転移動体であり、光ファイバ収容部３と励起用光源２との中間に配置されている。光ファイバ収容部３はハンドケース１の一方の側壁を貫通して配置されており、励起用光源２は対向する他方の側壁の内側に配置されている。
【００１７】
赤外輝尽蛍光体５はシート状であって、円錐台部材４Ａの傾斜面に全周にわたって貼り付けて設けられている。或いは、プラスチック材料に赤外輝尽蛍光材料を混合して円錐台部材４Ａを成形することにより、円錐台部材４Ａの傾斜面に全周にわたって赤外輝尽蛍光体５を設けることができる。
【００１８】
赤外輝尽蛍光体５による可視光を目視観測するための観測窓７はハンドケース１の蓋板に形成されている。観測窓７と円錐台部材４Ａの傾斜面上の赤外輝尽蛍光体５とを結ぶ線と円錐台部材４Ａの傾斜面との角度は、光ファイバケーブルの赤外光が光ファイバ収容部３から照射される入射角と同じである。従って、円錐台部材４Ａの傾斜面を４５度とした場合、回転移動体である円錐台部材４Ａの傾斜面の真上に当たるようにして観測窓７はハンドケース１の蓋板に形成される。換言すれば、観測窓７は円錐台部材４Ａの傾斜面に対して光ファイバ収容部３から入射した光ファイバケーブルの赤外光の反射方向に合わせてハンドケース１に設けられているのである。
【００１９】
励起光を照射する励起用光源２は、白色や青色の可視光を発光する発光ダーオードの如き可視光ランプ２ａと内臓電源を含むランプ駆動回路２ｂとから構成されている。ランプ駆動回路２ｂは可視光ランプ２ａを不連続的に駆動する不連続駆動回路である。更に、励起用光源２には、可視光ランプ２ａからの可視光の拡散を防止するためのシールド２ｃが設けられている。このシールド２ｃは、可視光ランプ２ａの周囲を覆う可視光遮断板や管状遮蔽部材である。
【００２０】
光ファイバ収容部３は、光ファイバケーブルの素線を収容する筒状体である。或いは、光ファイバ収容部３は、光ファイバケーブルのコネクタを収容するアダプタ状構造体である。
【００２１】
図３において、円錐台部材４Ａの傾斜面に備えられた赤外輝尽蛍光体５の右側の領域は、可視光ランプ２ａからの励起光で照射されている。前記赤外輝尽蛍光体５の右側の領域は、本発明における移動体の赤外輝尽蛍光体５が第１位置にある状態である。
【００２２】
同時に、円錐台部材４Ａの傾斜面に備えられた赤外輝尽蛍光体５の左側の領域は、光ファイバ収容部３を介して光ファイバケーブルの赤外光によって照射されている。前記赤外輝尽蛍光体５の左側の領域は、本発明における移動体の赤外輝尽蛍光体５が第２位置にある状態である。
【００２３】
検出されるべき赤外光によって照射されている円錐台部材４Ａの赤外輝尽蛍光体５の左側の領域は、即ち赤外光検出領域は、円錐台部材４Ａが１８０度回転する前に、励起用光源２の可視光ランプ２ａから励起光が照射されて励起された状態にある。換言すれば、円錐台部材４Ａが１８０度回転する前は、この領域が上述の第１位置にあったのである。従って、上記領域に光ファイバ収容部３を介して光ファイバケーブルの赤外光が照射されると、赤外輝尽蛍光体５は可視光を発生する。そして、この赤外輝尽蛍光体５の可視光、即ち赤外検出光は、ハンドケース１の蓋板に設けられている観測窓７から作業者が確実に目視できる。
【００２４】
可視光ランプ２ａの可視光は、回転移動体である円錐台部材４Ａの傾斜面が遮蔽壁となって、前記赤外光検出領域に到達しない。このため、赤外検出光が可視光の励起光によって邪魔されず、観測窓７から作業者が前記赤外検出光を確実に目視できるのである。
【００２５】
以上、実施例１において、赤外輝尽蛍光体５は円錐台部材４Ａの傾斜面の全面に備えられているとしたが、赤外輝尽蛍光体５は円錐台部材４Ａの傾斜面に１箇所だけ設けてもよい。或いは、赤外輝尽蛍光体５は円錐台部材４Ａの傾斜面に対称的に一対（２箇所）、或いは複数対（４箇所、６箇所、８箇所など）設けてもよい。
【実施例２】
【００２６】
本発明の実施例２は、図２の断面図（Ａ）と平面図（Ｂ）及び図４の模式的構成図並びに動作説明図に示す如く、肉厚の円盤部材４Ｂとその表面に備えられた赤外輝尽蛍光体５とを有する赤外線検出部と、赤外輝尽蛍光体５に励起光を照射する励起用光源２と、赤外輝尽蛍光体５に光ファイバケーブルの赤外光を照射する光ファイバ収容部３と、これらを収容するハンドケース１とで構成された赤外線検出器である。
【００２７】
肉厚の円盤部材４Ｂは、ハンドケース１内に固定されたモータの如き駆動部６により回転駆動される回転移動体であり、光ファイバ収容部３と励起用光源２との中間に配置されている。光ファイバ収容部３はハンドケース１の一方の側壁を貫通して配置されており、励起用光源２は対向する他方の側壁の内側に配置されている。
【００２８】
赤外輝尽蛍光体５はシート状であって、肉厚の円盤部材４Ｂの外周面に全周にわたって貼り付けて設けられている。或いは、プラスチック材料に赤外輝尽蛍光材料を混合して肉厚の円盤部材４Ｂを成形することにより、肉厚の円盤部材４Ｂの外周面に全周にわたって赤外輝尽蛍光体５を設けることができる。
【００２９】
赤外輝尽蛍光体５による可視光を目視観測するための観測窓７はハンドケース１の蓋板に形成されている。そして、赤外光検出領域の近傍まで延伸した集光用光ファイバ８が、観測窓７に取付けられている。
【００３０】
励起光を照射する励起用光源２は、白色や青色の可視光を発光する発光ダーオードの如き可視光ランプ２ａと内臓電源を含むランプ駆動回路２ｂとから構成されている。ランプ駆動回路２ｂは可視光ランプ２ａを不連続的に駆動する不連続駆動回路である。更に、励起用光源２には、可視光ランプ２ａからの可視光の拡散を防止するためのシールド２ｃが設けられている。このシールド２ｃは、可視光ランプ２ａの周囲を覆う可視光遮断フィルタである。
【００３１】
光ファイバ収容部３は、光ファイバケーブルの素線を収容する筒状体である。或いは、光ファイバ収容部３は、光ファイバケーブルのコネクタを収容するアダプタ状構造体である。
【００３２】
図４において、肉厚の円盤部材４Ｂの外周面に備えられた赤外輝尽蛍光体５の右側の領域が、可視光ランプ２ａからの励起光で照射されている。前記赤外輝尽蛍光体５の右側の領域は、本発明における移動体の赤外輝尽蛍光体５が第１位置にある状態である。
【００３３】
同時に、肉厚の円盤部材４Ｂの外周面に備えられた赤外輝尽蛍光体５の左側の領域は、光ファイバ収容部３を介して光ファイバケーブルの赤外光によって照射されている。前記赤外輝尽蛍光体５の左側の領域は、本発明における移動体の赤外輝尽蛍光体５が第２位置にある状態である。
【００３４】
検出されるべき赤外光によって照射されている肉厚の円盤部材４Ｂの赤外輝尽蛍光体５の左側の領域は、即ち赤外光検出領域は、肉厚の円盤部材４Ｂが１８０度回転する前に、励起用光源２の可視光ランプ２ａから励起光が照射されて励起された状態にある。換言すれば、肉厚の円盤部材４Ｂの外周面が１８０度回転する前は、この領域が上述の第１位置にあったのである。従って、上記領域に光ファイバ収容部３を介して光ファイバケーブルの赤外光が照射されると、赤外輝尽蛍光体５は可視光を発生する。そして、この赤外輝尽蛍光体５の可視光、即ち赤外検出光は、ハンドケース１の蓋板に設けられている観測窓７から集光用光ファイバ８を介して作業者が確実に目視できる。
【００３５】
可視光ランプ２ａの可視光は、回転移動体である肉厚の円盤部材４Ｂの外周面が遮蔽壁となって、前記赤外光検出領域に到達しない。このため、赤外検出光が可視光の励起光によって邪魔されず、観測窓７から集光用光ファイバ８を介して作業者が前記赤外検出光を確実に目視できるのである。
【００３６】
以上、実施例２において、赤外輝尽蛍光体５は肉厚の円盤部材４Ｂの外周面の全面に備えられているとしたが、赤外輝尽蛍光体５は肉厚の円盤部材４Ｂの外周面に１箇所だけ設けてもよい。或いは、赤外輝尽蛍光体５は肉厚の円盤部材４Ｂの外周面に対称的に一対（２箇所）、或いは複数対（４箇所、６箇所、８箇所など）設けてもよい。
【実施例３】
【００３７】
本発明の実施例３は、図５の断面図（Ａ）、平面図（Ｂ）、断面図（Ｃ）及び平面図（Ｄ）の模式的構成図並びに動作説明図に示す如く、断面二等辺台形部材４Ｃを回転移動体とし、赤外輝尽蛍光体５ａと５ｂを断面二等辺台形部材４Ｃの傾斜面に対称的な２箇所に設けて赤外検出部を構成したことを特徴とする赤外線検知器である。
【００３８】
断面二等辺台形部材４Ｃは、ハンドケース１内に固定されたモータの如き駆動部６により駆動される回転移動体であり、光ファイバ収容部３と励起用の可視光ランプ２ａとの中間に配置されている。光ファイバ収容部３はハンドケース１の一方の側壁を貫通して配置されており、可視光ランプ２ａは対向する他方の側壁の内側に配置されている。
【００３９】
赤外輝尽蛍光体５ａと５ｂはシート状であって、断面二等辺台形部材４Ｃの一対の傾斜面に全面にわたって貼り付けて設けられている。或いは、プラスチック材料に赤外輝尽蛍光材料を混合して断面二等辺台形部材４Ｃを成形することにより、断面二等辺台形部材４Ｃの一対の傾斜面に全面にわたって赤外輝尽蛍光体５ａと５ｂを備えることができる。
【００４０】
赤外輝尽蛍光体５ａと５ｂによる可視光を目視観測するための観測窓７はハンドケース１の蓋板に形成されている。
【００４１】
図５（Ａ）及び（Ｂ）において、断面二等辺台形部材４Ｃの右側の傾斜面に備えられた赤外輝尽蛍光体５ａは、可視光ランプ２ａから励起光で照射されている。前記赤外輝尽蛍光体５ａは、本発明における移動体の赤外輝尽蛍光体が第１位置にある状態である。
【００４２】
同時に、断面二等辺台形部材４Ｃの左側の傾斜面に備えられた赤外輝尽蛍光体５ｂは、光ファイバ収容部３を介して光ファイバケーブルの赤外光によって照射されている。前記赤外輝尽蛍光体５ｂは、本発明における移動体の赤外輝尽蛍光体５が第２位置にある状態である。
【００４３】
検出されるべき赤外光によって照射されている断面二等辺台形部材４Ｃの赤外輝尽蛍光体５ｂは、即ち赤外光検出領域は、断面二等辺台形部材４Ｃが１８０度回転する前に、励起用光源２の可視光ランプ２ａからの励起光で照射されて励起された状態にある。換言すれば、断面二等辺台形部材４Ｃが１８０度回転する前は、図４（Ｃ）及び（Ｄ）に示す如く、赤外輝尽蛍光体５ｂが上述の第１位置にあったのである。従って、赤外輝尽蛍光体５ｂ上に光ファイバ収容部３を介して光ファイバケーブルの赤外光が照射されると、赤外輝尽蛍光体５ｂは可視光を発生する。そして、この赤外輝尽蛍光体５ｂの可視光、即ち赤外検出光は、ハンドケース１の蓋板に設けられている観測窓７から作業者が確実に目視できる。
【００４４】
可視光ランプ２ａの可視光は、回転移動体である断面二等辺台形部材４Ｃの傾斜面が遮蔽壁となって、赤外輝尽蛍光体５ｂに到達しない。このため、赤外検出光が可視光の励起光によって邪魔されず、観測窓７から作業者が前記赤外検出光を確実に目視できるのである。
【００４５】
次に、図５（Ｃ）及び（Ｄ）は、図５（Ａ）及び（Ｂ）の位置から断面二等辺台形部材４Ｃが１８０度回転させられた状態を示す。従って、断面二等辺台形部材４Ｃの右側の傾斜面に備えられた赤外輝尽蛍光体５ｂは、可視光ランプ２ａからの励起光で照射されている。前記赤外輝尽蛍光体５ｂは、本発明における移動体の赤外輝尽蛍光体が第１位置にある状態である。
【００４６】
同時に、断面二等辺台形部材４Ｃの左側の傾斜面に備えられた赤外輝尽蛍光体５ａは、光ファイバ収容部３を介して光ファイバケーブルの赤外光によって照射されている。前記赤外輝尽蛍光体５ａは、本発明における移動体の赤外輝尽蛍光体が第２位置にある状態である。
【００４７】
検出されるべき赤外光によって照射されている断面二等辺台形部材４Ｃの赤外輝尽蛍光体５ａは、即ち赤外光検出領域は、断面二等辺台形部材４Ｃが１８０度回転する前に、励起用光源２の可視光ランプ２ａからの励起光で照射されて励起された状態にある。換言すれば、断面二等辺台形部材４Ｃが１８０度回転する前は、図４（Ａ）及び（Ｂ）に示す如く、赤外輝尽蛍光体５ａが上述の第１位置にあったのである。従って、赤外輝尽蛍光体５ａ上に光ファイバ収容部３を介して光ファイバケーブルの赤外光が照射されると、赤外輝尽蛍光体５ａは可視光を発生する。そして、この赤外輝尽蛍光体５ａの可視光、即ち赤外検出光は、ハンドケース１の蓋板に設けられている観測窓７から作業者が確実に目視できる。
【００４８】
可視光ランプ２ａの可視光は、回転移動体である断面二等辺台形部材４Ｃの傾斜面が遮蔽壁となって、赤外輝尽蛍光体５ａに到達しない。このため、赤外検出光が可視光の励起光によって邪魔されず、観測窓７から作業者が前記赤外検出光を確実に目視できるのである。
【実施例４】
【００４９】
本発明の実施例３は、図６の断面図（Ａ）、平面図（Ｂ）、断面図（Ｃ）及び平面図（Ｄ）の模式的構成図並びに動作説明図に示す如く、傾斜面が形成された一対の脚部を有するＬ字型部材であり且つ振り子駆動させられるＬ字型部材４Ｄを移動体とし、赤外輝尽蛍光体５ａと５ｂをＬ字型部材４Ｄの一対の脚部のそれぞれの傾斜面に設けて赤外検出部を構成したことを特徴とする赤外線検知器である。
【００５０】
断面二等辺台形部材４Ｃは、ハンドケース１内に固定されたモータの如き駆動部６により振り子駆動される部材である。
【００５１】
一対の可視光ランプ２Ａａと２Ｂａは、ハンドケース１の対向する側壁の内側にそれぞれ配置されている。また、光ファイバ収容部３は一対の可視光ランプ２Ａａと２Ｂａの光軸と平行なハンドケース１の一つの側壁を貫通して配置されている。
【００５２】
赤外輝尽蛍光体５はシート状であって、Ｌ字型部材４Ｄの一対の脚部のそれぞれの傾斜面に全面にわたって貼り付けて設けられている。或いは、プラスチック材料に赤外輝尽蛍光材料を混合してＬ字型部材４Ｄを成形することにより、Ｌ字型部材４Ｄに赤外輝尽蛍光体５ａと５ｂを備えることができる。
【００５３】
赤外輝尽蛍光体５ａと５ｂによる可視光を目視観測するための観測窓７はハンドケース１の蓋板に形成されている。
【００５４】
図６（Ａ）及び（Ｂ）において、Ｌ字型部材４Ｄの第１脚部の傾斜面に備えられた赤外輝尽蛍光体５ａは、可視光ランプ２Ａａからの励起光で照射されている。前記赤外輝尽蛍光体５ａは、本発明における移動体の赤外輝尽蛍光体が第１位置にある状態である。
【００５５】
同時に、Ｌ字型部材４Ｄの第１脚部の傾斜面に備えられた赤外輝尽蛍光体５ｂは、光ファイバ収容部３を介して光ファイバケーブルの赤外光によって照射されている。前記赤外輝尽蛍光体５ｂは、本発明における移動体の赤外輝尽蛍光体５が第２位置にある状態である。
【００５６】
検出されるべき赤外光によって照射されているＬ字型部材４Ｄの赤外輝尽蛍光体５ｂは、即ち赤外光検出領域は、Ｌ字型部材４Ｄが９０度だけ時計方向に回転する前に、励起用光源２の可視光ランプ２Ｂａからの励起光で照射されて励起された状態にある。換言すれば、Ｌ字型部材４Ｄが９０度回転する前は、図６（Ｃ）及び（Ｄ）に示す如く、赤外輝尽蛍光体５ｂが上述の第１位置にあったのである。従って、赤外輝尽蛍光体５ｂ上に光ファイバ収容部３を介して光ファイバケーブルの赤外光が照射されると、赤外輝尽蛍光体５ｂは可視光を発生する。そして、この赤外輝尽蛍光体５ｂの可視光、即ち赤外検出光は、ハンドケース１の蓋板に設けられている観測窓７から作業者が確実に目視できる。
【００５７】
可視光ランプ２Ａａの可視光は、移動体であるＬ字型部材４Ｄの傾斜面が遮蔽壁となって、赤外輝尽蛍光体５ｂに到達しない。このため、赤外検出光が可視光の励起光によって邪魔されず、観測窓７から作業者が前記赤外検出光を確実に目視できるのである。
【００５８】
次に、図６（Ｃ）及び（Ｄ）は、図６（Ａ）及び（Ｂ）の位置からＬ字型部材４Ｄが９０度だけ半時計方向に回転させられた状態を示す。従って、Ｌ字型部材４Ｄの第２脚部の傾斜面に備えられた赤外輝尽蛍光体５ｂは、可視光ランプ２Ｂａから励起光で照射されている。前記赤外輝尽蛍光体５ｂは、本発明における移動体の赤外輝尽蛍光体が第１位置にある状態である。
【００５９】
同時に、Ｌ字型部材４Ｄの第１脚部の傾斜面に備えられた赤外輝尽蛍光体５ａは、光ファイバ収容部３を介して光ファイバケーブルの赤外光によって照射されている。前記赤外輝尽蛍光体５ａは、本発明における移動体の赤外輝尽蛍光体が第２位置にある状態である。
【００６０】
検出されるべき赤外光によって照射されている第１脚部の赤外輝尽蛍光体５ａは、即ち赤外光検出領域は、Ｌ字型部材４Ｄが９０度だけ半時計方向に回転する前に、可視光ランプ２Ａａからの励起光で照射されて励起された状態にある。換言すれば、Ｌ字型部材４Ｄが９０度回転する前は、図６（Ａ）及び（Ｂ）に示す如く、赤外輝尽蛍光体５ａが上述の第１位置にあったのである。従って、赤外輝尽蛍光体５ａ上に光ファイバ収容部３を介して光ファイバケーブルの赤外光が照射されると、赤外輝尽蛍光体５ａは可視光を発生する。そして、この赤外輝尽蛍光体５ａの可視光、即ち赤外検出光は、ハンドケース１の蓋板に設けられている観測窓７から作業者が確実に目視できる。
【００６１】
可視光ランプ２Ｂａの可視光は、移動体であるＬ字型部材４Ｄの傾斜面が遮蔽壁となって、赤外輝尽蛍光体５ａに到達しない。このため、赤外検出光が可視光の励起光によって邪魔されず、観測窓７から作業者が前記赤外検出光を確実に目視できるのである。
【実施例５】
【００６２】
本発明の実施例５は、上述の実施例４において、傾斜面が形成された一対の脚部を有するＬ字型部材であり且つ振り子駆動させられるＬ字型部材４Ｄを移動体の代わりに、傾斜面のない一対の脚部を有するＬ字型部材であり且つ振り子駆動させられるＬ字型部材を移動体としたものである。赤外輝尽蛍光体５ａと５ｂは前記Ｌ字型部材の一対の脚部のそれぞれの端面に備えられる。このようにして構成した赤外検出部を有することを特徴とする赤外線検知器である。
【００６３】
赤外輝尽蛍光体５ａと５ｂによる可視光を目視観測するための観測窓７はハンドケース１の蓋板に形成されている。そして、赤外光検出領域の近傍まで延伸した集光用光ファイバ８が、観測窓７に取付けられている。
【００６４】
実施例５の赤外線検知器において、可視光ランプ２Ａａの可視光は、移動体であるＬ字型部材の傾斜面が遮蔽壁となって、赤外光が照射されている赤外輝尽蛍光体５ｂに到達しない。可視光ランプ２Ｂａの可視光は、移動体であるＬ字型部材の傾斜面が遮蔽壁となって、赤外輝尽蛍光体５ａに到達しない。このため、赤外検出光が可視光の励起光によって邪魔されず、観測窓７から作業者が前記赤外検出光を確実に目視できるのである。
【実施例６】
【００６５】
本発明の実施例６は、上述の実施例４において、傾斜面が形成された一対の脚部を有するＬ字型部材であり且つ振り子駆動させられるＬ字型部材４Ｄを移動体の代わりに、振り子駆動させられる四分の一円錐台部材であって、且つ振り子駆動させられる部材を移動体としたものである。赤外輝尽蛍光体５ａと５ｂは前記四分の一円錐台部材の傾斜面に対称的な２箇所に設けられている。このようにして構成した赤外検出部を有することを特徴とする赤外線検知器である。
【００６６】
実施例６の赤外線検知器において、赤外輝尽蛍光体５ａと５ｂによる可視光を目視観測するための観測窓７はハンドケース１の蓋板に形成されている。そして、赤外光検出領域の近傍まで延伸した集光用光ファイバ８が、観測窓７に取付けられている。
【００６７】
実施例６の赤外線検知器において、可視光ランプ２Ａａの可視光は、移動体である四分の一円錐台部材の傾斜面が遮蔽壁となって、赤外光が照射されている赤外輝尽蛍光体５ｂに到達しない。可視光ランプ２Ｂａの可視光は、移動体である四分の一円錐台部材の傾斜面が遮蔽壁となって、赤外輝尽蛍光体５ａに到達しない。このため、赤外検出光が可視光の励起光によって邪魔されず、観測窓７から作業者が前記赤外検出光を確実に目視できるのである。
【図面の簡単な説明】
【００６８】
【図１】本発明の実施例１の赤外線検知器の断面図（Ａ）と平面図（Ｂ）である。
【図２】本発明の実施例２の赤外線検知器の断面図（Ａ）と平面図（Ｂ）である。
【図３】本発明の実施例１の赤外線検知器の模式的構成図と動作説明図である。
【図４】本発明の実施例３の赤外線検知器の模式的構成図と動作説明図である。
【図５】本発明の実施例４の赤外線検知器の模式的構成図と動作説明図である。
【図６】本発明の実施例５の赤外線検知器の模式的構成図と動作説明図である。
【符号の説明】
【００６９】
１  ハンドケース
２  励起用光源
２ａ，２Ａａ，２Ｂａ  可視光ランプ
２ｂ  ランプ駆動回路
２ｃ，２Ａｃ，２Ｂｃ  シールド
３  光ファイバ収容部
４Ａ  円錐台部材
４Ｂ  肉厚の円盤部材
４Ｃ  断面二等辺台形部材
４Ｄ  Ｌ字型部材
５，５ａ，５ｂ  赤外輝尽蛍光体
６  駆動部
７  観測窓
８  集光用光ファイバ
【図１】
2006084214.tif 000004
【図２】
2006084214.tif 000005
【図３】
2006084214.tif 000006
【図４】
2006084214.tif 000007
【図５】
2006084214.tif 000008
【図６】
2006084214.tif 000009